(57)【要約】【課題】衝撃試験中や輸送中に冷陰極管が冷陰極管ホルダの開環状の冷陰極管保持部から脱落したり冷陰極管保持部が変形したりする恐れが殆どなく、液晶パネルの表示面に部分的な影が映る恐れも殆どない液晶モジュールを提供する。【解決手段】冷陰極管を保持する合成樹脂製の冷陰極管ホルダとして、バックライトユニットの光反射板に取付けられる帯状基部３ａと、この帯状基部の上面に所定の間隔をあけて複数形成された上部が開環する開環状の冷陰極管保持部３ｂと、それぞれの開環状の冷陰極管保持部の両側に形成された補強リブ部３ｃとから成る冷陰極管ホルダ３を組み込んだ液晶モジュールとする。冷陰極管保持部３ｂの両側を補強リブ部３ｃで補強することで、冷陰極管保持部３ｂの変形、冷陰極管の脱落を防止し、補強リブ部３ｃの厚み寸法を冷陰極管保持部３ｂの１／３以下にすることで、液晶パネルの表示面への影の映りこみを抑える。【選択図】図２
2008292529.tif 000002
【特許請求の範囲】
【請求項１】
液晶パネルの背後に冷陰極管を光源とするバックライトユニットが設けられた液晶モジュールにおいて、
上記冷陰極管を保持する合成樹脂製の冷陰極管ホルダが、上記バックライトユニットの光反射板に取付けられる帯状基部と、この帯状基部の上面に所定の間隔をあけて複数形成された上部が開環する開環状の冷陰極管保持部と、それぞれの開環状の冷陰極管保持部の両側に形成された補強リブ部とから成ることを特徴とする液晶モジュール。
【請求項２】
上記冷陰極管保持部の両側の補強リブ部が、傾斜側面を備えた裾広がり形状であることを特徴とする請求項１に記載の液晶モジュール。
【請求項３】
上記傾斜側面を備えた裾広がり形状の補強リブ部が、上記冷陰極管保持部の開環部の中心よりもやや高い位置にある開環部外周面の両側箇所から上記帯状基部の上面に至るまで形成されていることを特徴とする請求項２に記載の液晶モジュール。
【請求項４】
上記冷陰極管保持部の両側の補強リブ部が、垂直側面を備えた直立片形状であることを特徴とする請求項１に記載の液晶モジュール。
【請求項５】
上記垂直側面を備えた直立片形状の補強リブ部が、上記冷陰極管保持部の開環部の中心と同じ高さに位置する開環部外周面の両側箇所から上記帯状基部の上面に至るまで形成されていることを特徴とする請求項４に記載の液晶モジュール。
【請求項６】
上記冷陰極管保持部の両側の補強リブ部が、円弧側面を備えた略半円形状であることを特徴とする請求項１に記載の液晶モジュール。
【請求項７】
上記円弧側面を備えた略半円形状の補強リブ部が、上記冷陰極管保持部の開環部の中心よりも低い位置にある開環部外周面の両側箇所に形成されていることを特徴とする請求項６に記載の液晶モジュール。
【請求項８】
上記補強リブ部の前後方向の厚み寸法が、上記冷陰極管保持部の前後方向の厚み寸法の１／３以下であることを特徴とする請求項１ないし請求項７のいずれかに記載の液晶モジュール。
【発明の詳細な説明】
【技術分野】
【０００１】
本発明はテレビ等に組み込まれる液晶モジュールに関し、特に、衝撃試験時に冷陰極管（ＣＣＦＬ）が冷陰極管ホルダから外れたり、輸送中に冷陰極管ホルダの開環状の冷陰極管保持部が変形したりすることのないように改良した液晶モジュールに関する。
【背景技術】
【０００２】
テレビ等に組み込まれる従来の一般的な液晶モジュールは、液晶パネルの背後に冷陰極管を光源とするバックライトユニットが設けられており、このバックライトユニットと液晶パネルがフレームの内部に収容されると共に、液晶パネルの四周縁がベゼルで固定された構造となっている。そして、バックライトユニットの冷陰極管は、光反射板に取付けられた冷陰極管ホルダの開環状の冷陰極管保持部に嵌め込まれて保持されている。
【０００３】
一方、複数の透明な合成樹脂製のランプホルダを、そのブッシング形状部を反射板の装着孔に挿入することによって反射板に固定し、該ランプホルダの欠円状の蛍光管把持部に蛍光管を嵌め込んで取付けたバックライト装置が知られている（特許文献１）。
【０００４】
また、蛍光管を載置する略Ｖ形の載置部を複数設けた載置体と、蛍光管を押さえて移動を規制する規制部を略Ｖ形の載置部に対応して複数設けた規制体とを、上下に重ねて係止手段により一体に係止した光源支持装置も知られている（特許文献２）。
【特許文献１】特開２００４−３４８１５０号公報
【特許文献１】特開２００６−２６１１３５号公報
【発明の開示】
【発明が解決しようとする課題】
【０００５】
しかしながら、従来の一般的な液晶モジュールにおいてバックライトユニットの光反射板に取付けられる冷陰極管ホルダは、合成樹脂で射出成形されたものであり、冷陰極管を保持する開環状の冷陰極管保持部の肉厚がかなり薄いものであるため、衝撃試験時に、冷陰極管が冷陰極管保持部から脱落したり、冷陰極管保持部が変形し易いという問題があった。また、冷陰極管ホルダの輸送中にも、その振動や衝撃によって、冷陰極管保持部が変形し易いという問題があった。
【０００６】
一方、上記特許文献１のバックライト装置に組み込まれるランプホルダも透明な合成樹脂で成形されたものであり、欠円状の蛍光管把持部の肉厚が薄いものであるため、上記と同様に、蛍光管が脱落したり蛍光管把持部が変形し易いという問題があった。また、上記特許文献２の光源支持装置の場合も、載置体が合成樹脂で成形されたものであり、蛍光管を載置する略Ｖ形の載置部の肉厚が薄いものであるため、上記と同様の問題があった。
【０００７】
本発明は上記事情の下になされたもので、その解決しようとする課題は、衝撃試験中や輸送中に冷陰極管が冷陰極管ホルダの開環状の冷陰極管保持部から脱落したり、冷陰極管保持部が変形したりする恐れが殆どなく、しかも、液晶パネルの表示面に部分的な影が映る恐れも殆どない液晶モジュールを提供することにある。
【課題を解決するための手段】
【０００８】
上記課題を解決するため、本発明は、液晶パネルの背後に冷陰極管を光源とするバックライトユニットが設けられた液晶モジュールにおいて、上記冷陰極管を保持する合成樹脂製の冷陰極管ホルダが、上記バックライトユニットの光反射板に取付けられる帯状基部と、この帯状基部の上面に所定の間隔をあけて複数形成された上部が開環する開環状の冷陰極管保持部と、それぞれの開環状の冷陰極管保持部の両側に形成された補強リブ部とから成ることを特徴とするものである。
【０００９】
本発明の液晶モジュールにおいては、冷陰極管保持部の両側の補強リブ部が、傾斜側面を備えた裾広がり形状であることが好ましい。このような傾斜側面を備えた裾広がり形状の補強リブ部は、冷陰極管保持部の開環部の中心よりもやや高い位置にある開環部外周面の両側箇所から帯状基部の上面に至るまで形成するのがよい。
【００１０】
また、本発明の液晶モジュールにおいては、冷陰極管保持部の両側の補強リブ部が、垂直側面を備えた直立片形状であることも好ましい。このような垂直側面を備えた直立片形状の補強リブ部は、冷陰極管保持部の開環部の中心と同じ高さに位置する開環部外周面の両側箇所から上記帯状基部の上面に至るまで形成するのがよい。
【００１１】
更に、本発明の液晶モジュールにおいては、冷陰極管保持部の両側の補強リブ部が、円弧側面を備えた略半円形状であることも好ましい。このような円弧側面を備えた略半円形状の補強リブ部は、冷陰極管保持部の開環部の中心よりも低い位置にある開環部外周面の両側箇所に形成するのがよい。
【００１２】
また、本発明のいずれの液晶モジュールにおいても、補強リブ部の前後方向の厚み寸法を、冷陰極管保持部の前後方向の厚み寸法の１／３以下とすることが好ましい。
【発明の効果】
【００１３】
本発明の液晶モジュールのように、冷陰極管ホルダの開環状の冷陰極管保持部が両側の補強リブ部によって補強されていると、衝撃試験中や輸送中に衝撃や振動を受けても、開環状の冷陰極管保持部が拡開、変形したり、冷陰極管が冷陰極管保持部から脱落したりする恐れはほぼ解消される。また、冷陰極管保持部の両側に補強リブ部が一体形成されていると、射出成形後に冷陰極管ホルダを脱型する際、この両側の補強リブ部をピンでプッシュすることにより、開環状の冷陰極管保持部を変形させないで容易に脱型できる利点もある。
【００１４】
補強リブ部の形状は、前述した傾斜側面を備えた裾広がり形状、垂直側面を備えた直立片形状、円弧側面を備えた略半円形状のいずれでもよく、どの形状の補強リブ部であっても、冷陰極管保持部の開環部の強度を高めて、冷陰極管の脱落防止効果および冷陰極管保持部の変形防止効果を確実に発揮することができる。そして、補強リブ部の前後方向の厚み寸法を冷陰極管保持部の前後方向の厚み寸法の１／３以下としたものは、補強リブ部の前後方向の厚み寸法を冷陰極管保持部の前後方向の厚み寸法と同一にしたものに比べると、補強リブ部に起因する光反射の低下が少なくなるので、液晶パネルの表示面における部分的な影の映りこみを抑えることもできる。
【発明を実施するための最良の形態】
【００１５】
以下、図面を参照して本発明の具体的な実施形態を詳述する。
【００１６】
図１は本発明の一実施形態に係る液晶モジュールの分解斜視図、図２は同液晶モジュールに組み込まれる冷陰極管ホルダの正面図、図３は同冷陰極管ホルダの拡大部分正面図、図４は同冷陰極管ホルダの拡大部分平面図である。
【００１７】
この液晶モジュールの全体構成を図１に基づいて説明する。この液晶モジュールは、液晶パネル７の背後（下方）に、冷陰極管４を光源とするバックライトユニットＢＬを設けたものであって、このバックライトユニットＢＬは、光反射板２と、冷陰極管ホルダ３と、冷陰極管４と、光拡散板５と、プリズムシート６などの主要部品で構成されている。液晶パネル７とバックライトユニットＢＬは、金属製又は合成樹脂製の長方形のフレーム１の内側に収容されており、液晶パネル７の四周縁がベゼル８で固定されている。
【００１８】
バックライトユニットＢＬの長方形の光反射板２は、フレーム１の底部に重ねて設けられており、反射効率を高めるために、光反射板２の相対向する長辺部分２ａ，２ａがフレーム１の側壁内面を覆うように外側斜め上方に折り曲げられている。
【００１９】
バックライトユニットＢＬの冷陰極管ホルダ３は、光反射板２の上面（光反射面）に左右２つずつ、合計４つ取付けられている。そして、光反射板２の上方には、バックライトユニットＢＬの光源として、複数本（本実施形態では１６本）の冷陰極管４が互いに平行に横方向に配設されており、それぞれの冷陰極管４は冷陰極管ホルダ３の開環状の冷陰極管保持部に嵌め込まれて左右２箇所で保持されている。
【００２０】
尚、冷陰極管ホルダ３については、後で詳しく説明する。
【００２１】
冷陰極管４の両端のピン状端子とリード線との接続部分は、電気絶縁性のゴムソケット４ａ，４ｂが被せられており、その上から断面逆Ｕ字形の押さえバー４ｃ，４ｃで押さえられて固定されている。この液晶モジュールでは、光反射効率を高めるために、光反射性に優れた白色樹脂製の押さえバー４ｃが使用されている。
【００２２】
冷陰極管４の上方には、バックライトユニットＢＬの光拡散板５と２枚のプリズムシート６、６が重ねて設けられており、冷陰極管４からの直射光や光反射板２で反射された反射光が光拡散板５を透過するときに均一に拡散されると共に、プリズムシート６，６を透過するときに光の指向性が高められるようになっている。従って、液晶パネル７は背後（下方）から明るく均一に照明されるので、液晶表示面の輝度や均斉度が向上する。
【００２３】
バックライトユニットＢＬのプリズムシート６の前方（上方）には、長方形の液晶パネル７がスペーサ（不図示）を介して設けられており、この液晶パネル７の四周縁は、前述したようにベゼル８で押さえられて固定されている。この液晶パネル７の長辺には、ソースドライバＩＣチップを搭載したＣＯＦ７ａを介して帯状のプリント配線基板７ｂが接続されており、短辺には、ゲートドライバＩＣチップを搭載したＣＯＦ７ｃを介して帯状のプリント配線基板７ｄが接続されている。そして、これらのプリント配線基板７ｂ，７ｄは、ＣＯＦ７ａ，７ｃを下方へ９０°湾曲させながら、フレーム１の側面に取付けられている。
【００２４】
この液晶モジュールの大きい特徴は冷陰極管ホルダ３にある。この冷陰極管ホルダ３は、光反射性に優れた白色樹脂（白色顔料入りの熱可塑性樹脂）で射出成形されたものであって、図２に示すように、バックライトユニットの光反射板２に取付けられる帯状基部３ａと、この帯状基部３ａの上面に所定の間隔をあけて複数（このホルダでは８つ）形成された上部が開環する開環状の冷陰極管保持部３ｂと、それぞれの開環状の冷陰極管保持部３ｂの両側に形成された補強リブ部３ｃ，３ｃとを備えている。
【００２５】
帯状基部３ａの中央部と両端部の下面には中空の突起３ｄが形成されており、この突起３ｄを光反射板２の取付孔２ｂに差し込むことによって、冷陰極管ホルダ３が光反射板２に取付けられるようになっている。また、帯状基部３ａの中央部の上面には、前記の光拡散板５、プリズムシート６、液晶パネル７が冷陰極管４の方に向かって撓まないように支持する支持突片３ｅが形成されている。
【００２６】
この冷陰極管ホルダ３の開環状の冷陰極管保持部３ｂは、図３，図４に示すように、上部が略１／４円弧長にわたって切開された開環部３ｆと、この開環部３ｆを支持する支持部３ｇとで構成されており、冷陰極管４が上方から開環部３ｆに押し込まれて保持されるようになっている。冷陰極管保持部３ｂの両側に一体形成された補強リブ部３ｃは傾斜側面を備えた裾広がり形状のものであって、図３に示すように、この裾広がり形状の補強リブ部３ｃは、開環部３ｆの中心よりもやや高い位置にある開環部外周面の両側箇所から帯状基部３ａの上面に至るまで形成されており、図４に示すように、補強リブ部３ｃの前後方向の厚み寸法ｔが冷陰極管保持部３ｂの前後方向の厚み寸法Ｔの１／３、もしくは、それ以下に設定されている。
【００２７】
このような補強リブ部３ｃによって開環状の冷陰極管保持部３ｂが両側から補強されていると、液晶モジュールの衝撃試験中や冷陰極管ホルダ３の輸送中に衝撃や振動を受けても、冷陰極管保持部３ｂの開環部３ｆが拡開、変形したり、開環部３ｆに保持された冷陰極管４が脱落したりする心配はほぼ解消される。また、射出成形後に冷陰極管ホルダ３を脱型する際に、この両側の補強リブ部３ｃ，３ｃをピンでプッシュすると、開環状の冷陰極管保持部３ｂを変形させることなく容易に脱型することもできる。
【００２８】
補強リブ部３ｃの厚み寸法ｔが冷陰極管保持部３ｂの厚み寸法Ｔと同一であると、補強リブ部３ｃによって光反射の低下した部分が影となり、液晶パネル７の表示面に部分的に映る可能性があるが、上記のように補強リブ部３ｃの厚み寸法ｔを冷陰極管保持部３ｂの厚み寸法Ｔの１／３、もしくは、それ以下に設定していると、補強リブ部３ｃによる光反射の低下が少なくなるため、液晶パネル７の表示面における部分的な影の映りこみを抑えることが可能となる。
【００２９】
影の映りこみを抑えるためには、補強リブ部３ｃの厚み寸法ｔを薄くするほど良いわけであるが、あまり薄くし過ぎると、補強リブ部３ｃの本来の補強作用が低下して、冷陰極管４の脱落防止効果および冷陰極管保持部２ｂの変形防止効果が不充分になり、また、脱型の際にピンが補強リブ部３ｃを貫通する恐れもあるため、補強リブ部３ｃの厚み寸法ｔは冷陰極管保持部２ｂの厚み寸法Ｔの１／３〜１／４に設定することが好ましい。尚、補強リブ部３ｃの傾斜側面の傾斜角（帯状基部３ａの上面に対する傾斜角）は４５°〜７０°程度に設定することが好ましい。
【００３０】
上記の補強リブ部３ｃは、冷陰極管保持部３ｂの前後方向中間部の両側に形成しても勿論よいが、この実施形態のように冷陰極管保持部３ｂの後端部両側、又は、前端部両側に補強リブ部３ｃを形成すると、成形用金型の製作、変更を容易に行うことができるので好ましい。
【００３１】
補強リブ部の形状は上記の裾広がり形状に限定されるものではなく、種々の形状とすることができる。図５，図６は、そのような形状の異なる補強リブ部を冷陰極管保持部の両側に形成した冷陰極管ホルダの他の例を示す拡大部分正面図である。
【００３２】
図５に示す冷陰極管ホルダ３０は、上部が略１／４円弧長にわたって切開された開環部３ｆと該開環部３ｆを支持する支持部３ｇとからなる冷陰極管保持部３ｂの両側に、垂直側面を備えた直立片形状の補強リブ部３０ｃ，３０ｃを、開環部３ｆの中心と同じ高さに位置する開環部外周面の両側箇所から帯状基部３ａの上面に至るまで一体に形成したものであって、前記の補強リブ３ｃと同様に、補強リブ部３０ｃの厚み寸法が冷陰極管保持部３ｂの厚み寸法の１／３、もしくは、それ以下に設定されている。
【００３３】
このような直立片形状の補強リブ部３０ｃを設けた冷陰極管ホルダ３０は、前記の裾広がり形状の補強リブ部３ｃを設けたものに比べると、補強リブ部３０ｃが開環部３ｆの外側へ出ていない分だけ、補強リブによる光反射の低下が少ないので、液晶パネル７の表示面への部分的な影の映りこみが一層抑えられる。
【００３４】
また、図６に示す冷陰極管ホルダ３１は、上部が略１／４円弧長にわたって切開された開環部３ｆと該開環部３ｆを支持する支持部３ｇとからなる冷陰極管保持部３ｂの両側に、円弧側面を備えた略半円形状の補強リブ部３１ｃ，３１ｃを、開環部３ｆの中心よりも低い位置にある開環部外周面の両側箇所に形成したものであって、前記の補強リブ３ｃ，３０ｃと同様に、補強リブ部３１ｃの厚み寸法が冷陰極管保持部ｂの厚み寸法の１／３、もしくは、それ以下に設定されている。
【００３５】
このような略半円形状の補強リブ部３１ｃを設けた冷陰極管ホルダ３１は、補強リブ部３１ｃが小さいけれども、開環部３ｆが変形する際に最も外力が作用する開環部の中心よりも低い開環部両側箇所が補強リブ部３１ｃによって補強されるため、開環部３ｆの変形や冷陰極管の脱落が充分防止される。しかも、補強リブ部３１ｃ直下の帯状基部３ａの上面までもが反射面として機能し、補強リブ部３１ｃによる光反射の低下が殆ど生じないため、液晶パネル７の表示面における部分的な影の映りこみを更に抑えることが可能となる。
【００３６】
尚、場合によっては、上記のような略半円形状の補強リブ部３１ｃと、前記のような裾広がり形状又は直立片形状の補強リブ部３ｃ又は３０ｃを組合わせて、略半円形状の補強リブ３１ｃの厚み寸法を冷陰極管保持部３ｂの厚み寸法と同一にすると共に、裾広がり形状又は直立片形状の補強リブ部３ｃ又は３０ｃの厚み寸法を冷陰極管保持部３ｂの厚み寸法の１／３、もしくは、それ以下に形成するのもよい。
【図面の簡単な説明】
【００３７】
【図１】本発明の一実施形態に係る液晶モジュールの分解斜視図である。
【図２】同液晶モジュールに組み込まれる冷陰極管ホルダの正面図である。
【図３】同冷陰極管ホルダの拡大部分正面図である。
【図４】同冷陰極管ホルダの拡大部分平面図である。
【図５】冷陰極管ホルダの他の例を示す拡大部分正面図である。
【図６】冷陰極管ホルダの更に他の例を示す拡大部分正面図である。
【符号の説明】
【００３８】
１    フレーム
２    光反射板
２ｂ  取付孔
３，３０，３１  冷陰極管ホルダ
３ａ  帯状基部
３ｂ  開環状の冷陰極管保持部
３ｃ，３０ｃ，３１ｃ  補強リブ部
３ｆ  開環部
３ｇ  支持部
４    冷陰極管
５    光拡散板
６    プリズムシート
７    液晶パネル
８    ベゼル
ＢＬ  バックライトユニット
【図１】
2008292529.tif 000003
【図２】
2008292529.tif 000004
【図３】
2008292529.tif 000005
【図４】
2008292529.tif 000006
【図５】
2008292529.tif 000007
【図６】
2008292529.tif 000008